(57)【特許請求の範囲】
【請求項１】
対向する２つの側縁のうち、第１の側縁には、上方に、第１連結用孔が形成され、この第１連結用孔よりも下方に繋止孔が形成され、第２の側縁には、上方に、第２連結用孔が形成されるプレートを、少なくとも３枚以上備え、
前記プレートの第１連結用孔と、これと隣り合うプレートの第２連結用孔とに紐状係止具を挿通させて係止することにより、全ての前記プレートがループ状に連結されているとともに、
前記各プレートは、前記第１の側縁を、前記各プレートの前記各繋止孔が互いに近づくように寄せ合わせた上で、全ての前記繋止孔に１つの紐状連結具を挿通させることにより繋止されており、この紐状連結具は、当該紐状連結具による繋止位置よりも上の部分に上方に向かって徐々に内径が大きくなる角錐状の受け部が形成されるように、当該紐状連結具による繋止位置を中心として各プレートを一点に寄せ集めることができる長さ寸法を有していることを特徴とする置き台。
【請求項２】
前記プレートの第１の側縁は、直線形状に形成されていることを特徴とする請求項１に記載の置き台。
【請求項３】
前記プレートは、偶数枚備えられていることを特徴とする請求項１又は請求項２に記載の置き台。
【発明の詳細な説明】
【技術分野】
【０００１】
本発明は、置き台に関する。
【背景技術】
【０００２】
植木鉢や各種小物等を載置して飾るためには、これらを安定よく保持する置き台が必要であり、従来、例えば植木鉢を置く台として、上端をリングとし、このリングに複数の受け足を付けて足付き台とし、この受け足に受け皿用水平具を掛けるようにした構造の鉢置き台が提案されている（例えば、特許文献１参照）。このような構成とすることにより、受け皿用水平具に受け皿と鉢を載置した時に、その鉢の自重によって足付き台が固定され、上端のリングが転倒防止機能を有するものとなる。
【０００３】
また、複数のスタンド脚を備え、各脚の中高の高さに配置されかつ各スタンド脚によって支持される鉢置き台を備えるとともに、鉢置き台よりも上方に各スタンド脚で支えられたスタンド頭部を備え、鉢置き台上の植物に光を投射することのできる鉢受け台付きの電気スタンド等も提案されている（例えば、特許文献２参照）。
【特許文献１】特開２００４−３０５１９８号公報
【特許文献２】特開２０００−３４８５０６号公報
【発明の開示】
【発明が解決しようとする課題】
【０００４】
しかしながら、植木鉢や各種小物等を載置する台は、置き場所に応じて当該場所の雰囲気に合うものであることが好ましいが、特許文献１及び特許文献２に記載されている鉢置き台は、リングや皿部、棒状の脚部等を組み合わせたものであり、外観が趣に欠け、和室等に飾るには好ましくない。
また、前記各特許文献に記載されているような従来の置き台は、組み立てた状態で固定され、載置するものの大きさや形状、台を置く場所等に応じて柔軟に微調整を行うこともできないという問題があった。
【０００５】
そこで、本発明は、上記課題を解決するためになされたものであり、外観に趣があり、載置するものの大きさや形状、台を置く場所等に応じて柔軟に微調整を行うことが可能で、各種のものを保持することのできる置き台を提供することを目的としている。
【課題を解決するための手段】
【０００６】
上記課題を解決するために、請求項１に記載の発明は、対向する２つの側縁のうち、第１の側縁には、上方に、第１連結用孔が形成され、この第１連結用孔よりも下方に繋止孔が形成され、第２の側縁には、上方に、第２連結用孔が形成されるプレートを、少なくとも３枚以上備え、
前記プレートの第１連結用孔と、これと隣り合うプレートの第２連結用孔とに紐状係止具を挿通させて係止することにより、全ての前記プレートがループ状に連結されているとともに、
前記各プレートは、前記第１の側縁を、前記各プレートの前記各繋止孔が互いに近づくように寄せ合わせた上で、全ての前記繋止孔に１つの紐状連結具を挿通させることにより繋止されており、この紐状連結具は、当該紐状連結具による繋止位置よりも上の部分に上方に向かって徐々に内径が大きくなる角錐状の受け部が形成されるように、当該紐状連結具による繋止位置を中心として各プレートを一点に寄せ集めることができる長さ寸法を有していることを特徴とする置き台である。
【０００７】
請求項２に記載の発明は、請求項１に記載の置き台であって、前記プレートの第１の側縁は、直線形状に形成されていることを特徴としている。
【０００８】
請求項３に記載の発明は、請求項１又は請求項２に記載の置き台であって、前記プレートは、偶数枚備えられていることを特徴としている。
【発明の効果】
【０００９】
請求項１に記載の発明によれば、複数枚のプレートを組み合わせることによって植木鉢や各種小物等、載置対象物を保持するので、外観に趣があり、例えばプレートの材質を変えるだけで、様々な置き場所の雰囲気に合わせることができる。
また、３枚以上のプレートを紐状係止具により連結し、紐状連結具で繋止しているので、載置対象物の重さや設置場所に応じて、又はユーザが手でプレートを押し広げる等により、多少形状を変形させることができ、形状を柔軟に微調整することができるとの効果を奏する。
【００１０】
請求項２に記載の発明によれば、プレートの第１の側縁が直線形状に形成されているので、プレートを重ね合わせた際に隙間が生じないようにすることができ、小さなものでも隙間から落ちることなく載置することができるとの効果を奏する。
【００１１】
請求項３に記載の発明によれば、偶数枚のプレートにより構成されているので、置き台を折り畳むことができ、持ち運びや収納に便利であるとの効果を奏する。
【発明を実施するための最良の形態】
【００１２】
［第１の実施の形態］
先ず、図１から図４を参照しつつ、本発明の第１の実施形態に係る置き台について説明する。
【００１３】
図１は、本実施形態に係る置き台１の概略構成を示す斜視図である。
図１に示すように、置き台１は、ほぼ同一の形状、大きさに形成された６枚のプレート２（図３等に示すプレート２ａ〜２ｆ）から構成されている。置き台１を構成するプレート２は、例えば木製の板である。プレート２は、手を加えない木材のままでもよいし、表面に塗料等を塗布してもよい。また、プレート２の表面を焼くことにより木目を際立たせる加工等を施してもよい。
【００１４】
図２は、置き台１を形成するプレート２の１枚を示したものであり、各プレート２の一方の面を第１面２１とし、他方の面を第２面２２としたとき、図２（ａ）は、プレート２を第１面２１の側から見た平面図であり、図２（ｂ）は、プレート２を第２面２２の側から見た平面図である。
【００１５】
各プレート２は、図２（ａ）及び図２（ｂ）に示すように、対向する２つの側縁を有しており、この側縁のうち図２（ａ）において左側の側縁は直線形状に形成された第１の側縁２３となっている。この第１の側縁２３には、上方に第１連結用孔２４が形成され、第１連結用孔２４よりも下方に繋止孔２５が形成されている。また、プレート２の反対側の側縁（図２（ａ）において右側の側縁）は僅かに湾曲するように形成された第２の側縁２６となっており、第２の側縁２６には、上方に第２連結用孔２７が形成されている。
【００１６】
図３に示すように、各プレート２は、あるプレート２（例えば、図３中の２ａ）の第１連結用孔２４と、これと隣り合うプレート２（図３中の２ｂ）の第２連結用孔２７とを互いに係止するというように、隣り合うプレート２同士の第１連結用孔２４と第２連結用孔２７とに麻紐等の紐状係止具２８を挿通させて係止することにより、全てのプレート２がループ状に連結されている。
プレート２同士を係止する際、各プレート２は、あるプレート２（例えば、図３中の２ａ）の第２面２２側の第１の側縁２３がこれと隣り合うプレート２（図３中の２ｂ）の第１面２１側の第２の側縁２６と僅かに重なり合うようになっている。
なお、プレート２同士を連結する紐状係止具２８は、第１連結用孔２４と第２連結用孔２７とに挿通してプレート２同士を係止可能なものであればよく、麻紐に限定されない。例えば他の材料よりなる紐や、針金等を紐状係止具２８として適用してもよい。
【００１７】
また、各プレート２は、第１の側縁２３を各プレート２の繋止孔２５が互いに近づくように寄せ合わせた上で、全ての繋止孔２５に１つの紐状連結具２９を挿通させることにより、全てのプレート２が１つに繋止されている。これにより、あるプレート２（例えば、図３中の２ａ）の第１の側縁２３が、これと隣り合うプレート２（図３中の２ｂ）の第１面２１に斜めに当接するようになっている。なお、図３においては、便宜上、紐状連結具２９が６枚のプレート２ａ〜２ｆを並べた際の全体の幅よりも長い長さ寸法を有するように表現されているが、実際には、各プレート２を寄せ合わせた上で繋止孔２５に紐状連結具２９を挿通させて繋止するので、紐状連結具２９の長さはこれよりもかなり短い長さ寸法で足りる。
紐状連結具２９としては、例えば麻紐等を適用することができるが、紐状連結具２９は、全ての繋止孔２５に挿通して各プレート２を繋止することができるものであればよく、麻紐に限定されない。紐状係止具２８の場合と同様、例えば他の材料よりなる紐や、針金等を紐状連結具２９として適用してもよい。
【００１８】
このように、隣り合うプレート２同士の第１連結用孔２４と第２連結用孔２７とに紐状係止具２８を挿通させて結ぶことで全てのプレートを連結し、紐状連結具２９により各プレート２を繋止することにより、各プレート２が紐状連結具２９による繋止位置を中心として一点に寄せ集められるとともに各プレート２の上端部及び下端部は、それぞれ紐状連結具２９による繋止位置を中心としてほぼ放射状に外側に向かって広がっている。
これにより、図１に示すように、置き台１の上部（紐状連結具２９による繋止位置よりも上の部分）には、上方に向かって徐々に内径が大きくなる角錐状の受け部３が形成されている。また、置き台１の下部（紐状連結具２９による繋止位置よりも下の部分）は、各プレート２の下方に向かって徐々に外側に向かって広がる脚部４となっている。
【００１９】
次に、本実施形態の作用について説明する。
【００２０】
木製の板を切断、加工して、一方側の側縁（第１の側縁２３）が直線形状となり、他方側の側縁（第２の側縁２６）が僅かに湾曲している６枚のプレート２を形成する。そして、プレート２の第１の側縁２３の上方に第１連結用孔２４を形成し、第１連結用孔２４よりも下方に繋止孔２５を形成する。また、第２の側縁２６の上方に第２連結用孔２７を形成する。
【００２１】
次に、６枚のプレート２を同じ面が上になるようにして、１枚目のプレート２（例えば、図３中の２ａ）の第１の側縁２３の上に２枚目のプレート２（図３中の２ｂ）の第２の側縁２６が僅かに重なり合い、２枚目のプレート２（図３中の２ｂ）の第１の側縁２３の上に３枚目のプレート２（図３中の２ｃ）の第２の側縁２６が僅かに重なり合い、最後に６枚目のプレート２（図３中の２ｆ）の第１の側縁２３の上に１枚目のプレート２（図３中の２ａ）の第２の側縁２６が僅かに重なり合うというように、プレート２ａからプレート２ｆを順次互いの側縁を重なり合わせながら並べていく。
そして、隣り合うプレート２同士の第１連結用孔２４と第２連結用孔２７とをそれぞれ麻紐等の紐状係止具２８で係止する。これにより、全てのプレート２がループ状に連結される。
【００２２】
さらに、第１の側縁２３を各プレート２の繋止孔２５が互いに近づくように寄せ合わせた上で、全ての繋止孔２５に１つの紐状連結具２９を挿通させて繋止する。これにより、全てのプレート２が１つに繋止され、各プレート２は、第１の側縁２３が、これと隣り合うプレート２の第１面２１に斜めに当接し、置き台１の上部には、上方に向かって徐々に内径が大きくなる角錐状の受け部３が形成される。また、置き台１の下部は、各プレート２の下方に向かって徐々に外側に向かって広がる脚部４となる。
【００２３】
ユーザは、置き台１を任意の場所に設置し、受け部３に植木鉢等を載置して、植木鉢等の自重で受け部３を押し広げたり、手で角度を調整する等により、受け部３及び脚部４の形状を整える。
【００２４】
また、置き台１を持ち運んだり、収納したりする際には、図４に示すように、置き台１を、プレート２が３枚ずつに分かれる位置で２つに折り畳み、平板状とする。
【００２５】
以上のように、本実施形態によれば、６枚のプレート２を紐状係止具２８により連結し、紐状連結具２９により繋止しているので、載置対象物の重さや設置場所に応じて、又はユーザが手でプレート２を押し広げる等により、多少置き台１の形状を変形させることができ、形状を柔軟に微調整することができる。
【００２６】
また、木製のプレート２を複数枚組み合わせることによって受け部３及び脚部４を形成し、受け部３に植木鉢や各種小物等、載置対象物を保持するので、外観に趣があり、和風の室内等に飾っても違和感がなく、風情がある。
【００２７】
また、プレート２の第１の側縁２３が直線形状に形成されており、各プレート２は、第１の側縁２３が、これと隣り合うプレート２の第１面２１に斜めに当接して、隙間なく重ね合わさり、この各プレート２の第１面２１によって角錐状の受け部３の内面が構成される。このため、受け部３に小さなものを載置した場合でも載置した物が隙間から落ちるのを防ぐことができる。
【００２８】
また、本実施形態では、６枚という偶数枚のプレート２により置き台１が構成されているので、置き台１を折り畳むことができ、置き台１を持ち運んだり収納する際に便利である。
【００２９】
なお、本実施形態では、第１の側縁２３は直線形状に形成されており、第２の側縁２６は僅かに湾曲するように形成されている場合を例としたが、第１の側縁２３及び第２の側縁２６の形状はここに例示したものに限定されない。例えば、第１の側縁２３及び第２の側縁２６がともに湾曲するように形成されていてもよい。この場合には、受け部３の内面に隙間を生じるが、デザイン性の高い置き台１とすることができる。また、第１の側縁２３及び第２の側縁２６がともに直線形状に形成されていてもよい。
また、プレート２の形状は図示例に限定されず、例えば、各プレート２の上部端縁の一部を切り欠いて、上部端縁に複数のアーチ形状を形成するようにしてもよい。これにより、置き台１として組み立てた際に受け部３の周縁が花弁状となり、デザイン性が向上する。
【００３０】
さらに、本実施形態では、全てのプレート２がほぼ同一の形状、大きさである場合を例として説明したが、プレート２の形状、大きさは同一である場合に限定されない。例えば、置き台１を傾斜地等に設置する場合には、設置場所の傾斜に合わせて、一部のプレート２のうち傾斜の上側に位置する脚部４となる部分を削り取り、又は切断すること等により、設置したときに置き台１の上面がほぼ水平となるように調整してもよい。これにより、置き台１を傾斜地等に設置しても、置き台１に載置されたものを水平に保つことのできる状態で設置することができる。
この点、本実施形態のようにプレート２が木製の板である場合には、プレート２を削る、切り欠く等の加工を容易に行うことができる。
【００３１】
また、本実施形態では、繋止孔２５が第１の側縁２３のほぼ中央部に位置している場合を例示しているが、繋止孔２５の位置、大きさ等はこれに限定されない。また、第１連結用孔２４及び第２連結用孔２７の位置、大きさ等も図２に示したものに限定されない。
例えば、繋止孔２５を中央部よりも上に設けて、脚部４の長い置き台１としてもよい。
【００３２】
また、プレート２の幅や長さも図示例に限定されない。例えば、広い場所に設置する置き台１であれば、長いプレート２によって構成し、テーブルの上等に飾る置き台１であれば、短いプレート２によって構成する等、設置場所や用途等に応じてプレート２の大きさや形状を適宜変えてもよい。
さらに、大きなプレート２で作られた置き台１の場合には、後日置き台１を分解して、プレート２を一回り小さく削り直し、サイズの小さな置き台１として再生することも可能である。
【００３３】
さらに、本実施形態では、置き台１が６枚のプレート２によって構成されている場合を例として説明したが、置き台１を構成するプレート２の枚数はここに例示したものに限定されない。置き台１を構成するプレート２は３枚以上であればよく、例えば、４枚のプレート２や、８枚のプレート２で置き台を構成してもよい。また、置き台は３枚や５枚といった奇数枚のプレート２で構成されていてもよい。ただし、奇数枚のプレート２で置き台を構成した場合には置き台を折り畳むことができない。
【００３４】
さらに、本実施形態では、脚部４の先端が鋭角になっている場合を例として示したが、脚部４の形状はここに例示したものに限定されない。
【００３５】
また、本実施形態では、プレート２が木製の板である場合を例として説明したが、プレート２を形成する材料はこれに限定されない。例えば、アルミニウム等の金属、プラスチック等の各種合成樹脂、セラミック等の材料でプレートを形成してもよい。
【００３６】
また、置き台１を設置する場所は屋内屋外を問わない。例えば、本実施形態に係る置き台１を、脚部４の下方から照明が当たる場所に設置することにより、より趣のある照明の効果を得ることもできる。
【００３７】
なお、本発明が上記実施の形態に限らず適宜変更可能であるのは勿論である。
【００３８】
［第２の実施の形態］
先ず、図５及び図６を参照しつつ、本発明の第２の実施形態に係る置き台について説明する。なお、以下においては、特に第１の実施形態と異なる部分について説明する。
【００３９】
図５に示すように、本実施形態において、置き台５は、第１の実施形態と同様に、プレート６ａ〜６ｆを６枚組み合わせることによって構成されている。プレート６は、例えば、第１の実施形態と同様に、木製の板等であるが、プレート６を形成する材料等はこれに限られない。
本実施形態における各プレート６ａ〜６ｆの形状は、図６に示すように、ほぼ平行四辺形となっており、第１の実施形態と同様に、各プレート６は第１の側縁６１及び第２の側縁６２を有している。第１の側縁６１には上方に第１連結用孔６３が形成され、第１連結用孔６３よりも下方には繋止孔６４が形成されている。また、プレート６の第２の側縁６２には上方に第２連結用孔６５が形成されている。
【００４０】
また、プレート６ａ〜６ｆのうち、連結された際に１つ置きに並ぶこととなる３枚のプレート６（例えば、図６中、６ａ，６ｃ，６ｅ）の上部端部近傍には、吊し用孔６９が形成されている。
図５に示すように、各吊し用孔６９には、一端側に係止部７１を備えた紐状部材７がそれぞれ挿通されている。また、紐状部材７の他端側は一つに束ねられて結ばれている。紐状部材７は、例えば麻紐等であるが、これに限定されない。例えば他の材料よりなる紐や、針金等を紐状部材７として適用してもよい。
【００４１】
係止部７１は、例えば図５に示すように紐状部材７を結ぶことにより形成された結び目である。係止部７１は、その径が吊し用孔６９の径よりも大きく形成されており、紐状部材７を吊し用孔６９に挿通させたときに係止部７１が吊し用孔６９から抜け落ちないようになっている。
【００４２】
本実施形態では、繋止孔６４は第１の側縁６１の下方端部に近い位置に形成されている。
なお、繋止孔６４の位置、大きさ等はこれに限定されない。また、第１連結用孔６３及び第２連結用孔６５の位置、大きさ等も図５に示したものに限定されない。
【００４３】
図５に示すように、各プレート６は、あるプレート６（例えば、図６中の６ａ）の第１連結用孔６３と、これと隣り合うプレート６（図６中の６ｂ）の第２連結用孔６５とを互いに係止するというように、隣り合うプレート６同士の第１連結用孔６３と第２連結用孔６５とに麻紐等の紐状係止具６７を挿通させて係止することにより、全てのプレート６がループ状に連結されている。
【００４４】
また、各プレート６は、第１の側縁６１を各プレート６の繋止孔６４が互いに近づくように寄せ合わせた上で、全ての繋止孔６４に１つの紐状連結具６８を挿通させて繋止する。これにより、あるプレート６（例えば、図５中の６ａ）の第１の側縁６１が、これと隣り合うプレート６（図５中の６ｂ）の第１面７０（プレート６を組み立てたとき内側になる面）に斜めに当接し、全てのプレート６が１つに繋止される。
なお、図６においては、便宜上、紐状連結具６８が６枚のプレート６ａ〜６ｆを並べた際の全体の幅よりも長い長さ寸法を有するように表現されているが、実際には、各プレート６を寄せ合わせた上で繋止孔６４に紐状連結具６８を挿通させて繋止するので、紐状連結具６８の長さはこれよりもかなり短い長さ寸法で足りる。
【００４５】
このように、隣り合うプレート６同士の第１連結用孔６３と第２連結用孔６５とに紐状係止具６７を挿通させて結ぶことで全てのプレート６を連結し、紐状連結具６８により各プレート６を繋止することにより、各プレート６が紐状連結具６８による繋止位置を中心として一点に寄せ集められるとともに各プレート６の上端部及び下端部は、それぞれ紐状連結具６８による繋止位置を中心としてほぼ放射状に外側に向かって広がる。
【００４６】
これにより、図５に示すように、置き台５の上部（紐状連結具６８による繋止位置よりも上の部分）には、上方に向かって徐々に内径が大きくなる角錐状の受け部８が形成され、置き台５の下部（紐状連結具６８による繋止位置よりも下の部分）は、脚部９となる。なお、本実施形態では、繋止孔６４がプレート６の下方端部近傍に設けられているので、第１の実施形態と比較して脚部８は短くなっている。
【００４７】
なお、その他の構成は、第１の実施形態で説明したものと同様であることから、その説明を省略する。
【００４８】
次に、本実施形態の作用について説明する。
【００４９】
木製の板を切断、加工して、ほぼ平行四辺形の６枚のプレート６ａ〜ｆを形成する。そして、プレート６の第１の側縁６１の上方に第１連結用孔６３を形成し、第１連結用孔６３よりも下方に繋止孔６４を形成する。また、第２の側縁６２の上方に第２連結用孔６５を形成する。
【００５０】
次に、６枚のプレート６を同じ面が上になるようにして、１枚目のプレート６（例えば、図６中の６ａ）の第１の側縁６１の上に２枚目のプレート６（図６中の６ｂ）の第２の側縁６２が僅かに重なり合い、２枚目のプレート６（図６中の６ｂ）の第１の側縁６１の上に３枚目のプレート６（図６中の６ｃ）の第２の側縁６２が僅かに重なり合い、最後に６枚目のプレート６（図６中の６ｆ）の第１の側縁６１の上に１枚目のプレート６（図６中の６ａ）の第２の側縁６２が僅かに重なり合うというように、プレート６ａからプレート６ｆを順次互いの側縁を重なり合わせながら並べていく。
そして、隣り合うプレート６同士の第１連結用孔６３と第２連結用孔６５とにそれぞれ麻紐等の紐状係止具６７を通して結ぶ。これにより、全てのプレート６がループ状に連結される。
【００５１】
さらに、第１の側縁６１を各プレート６の繋止孔６４が互いに近づくように寄せ合わせた上で、全ての繋止孔６４に１つの紐状連結具６８を挿通させて繋止する。これにより、全てのプレート６が１つに繋止され、各プレート６は、第１の側縁６１が、これと隣り合うプレート６の第１面７０（プレート６を組み立てたとき内側になる面）に斜めに当接し、置き台５の上部には、上方に向かって徐々に内径が大きくなる角錐状の受け部８が形成される。
【００５２】
そして、各吊し用孔６９に、それぞれ紐状部材７の一端であって係止部７１が設けられていない側の端部を挿通させ、当該端部を１つに束ねて結ぶ。
【００５３】
ユーザは、置き台５の紐状部材７を任意の場所に掛けることにより置き台５を吊るし、受け部８に植木鉢等を載置して、植木鉢等の自重で受け部８を押し広げたり、手で角度を調整する等により、受け部８及び脚部９の形状を整える。
【００５４】
このように置き台５を上から吊るし、置き台５の自重及び置き台５に載置される物の重さにより置き台５が鉛直方向に引っ張られた場合でも、係止部７１が各吊し用孔６９に係止されていることにより、紐状部材７が各吊し用孔６９から抜け落ちることがなく、紐状部材７によって安定して置き台５を支えることができる。
【００５５】
また、置き台５を持ち運んだり、収納したりする際には、第１の実施形態と同様に、置き台５を、プレート６が３枚ずつに分かれる位置で２つに折り畳み、平板状とする。
【００５６】
以上のように、本実施形態によれば、複数枚のプレート６を紐状係止具６７及び紐状連結具６８により連結し、繋止しているので、載置対象物の重さ等に応じて、又はユーザが手でプレート６を押し広げる等により、多少形状を変形させることができ、形状を柔軟に微調整することができる。
【００５７】
また、木製のプレート６を複数枚組み合わせることによって受け部８を形成し、受け部８に植木鉢や各種小物等、載置対象物を保持するので、外観に趣があり、和風の廊下等に吊るしたり、飾ったりしても違和感がなく、風情がある。
【００５８】
また、本実施形態では、６枚という偶数枚のプレート６により置き台５が構成されているので、置き台５を折り畳むことができ、持ち運びや収納に便利である。
【００５９】
なお、本実施形態では、３枚のプレート６ａ，６ｃ，６ｅに吊し用孔６９を設け、これに紐状部材７を挿通させて、これを任意の場所に掛けることにより置き台５を上から吊るすようにしたが、置き台５を吊るす手法はこれに限定されない。
例えば、吊し用孔６９に係止用の爪を有する棒状の部材や鎖状の部材を係止して、これによって置き台５を上から吊るすようにしてもよい。また、吊し用孔６９を設けるプレート６は３枚に限定されない。置き台５を安定して吊るすことができれば、さらに複数のプレート６に吊し用孔６９を設けてもよい。また、プレート６に吊し用孔６９を設けるのではなく、置き台５を吊るすための部材を係止することのできる凸部等の係止部を設けて、これに紐状の部材等を係止して置き台５を吊るすようにしてもよい。
【００６０】
なお、本実施形態では、係止部７１が結び目である場合を例として説明したが、係止部７１は吊し用孔６９から紐状部材７が抜け落ちないようにするものであればよく、結び目に限定されない。例えば、紐状部材７の一端部に、プラスチックその他の合成樹脂、各種金属等で形成されたストッパーを取り付けて、紐状部材７が吊し用孔６９から抜け落ちないように構成してもよい。
【００６１】
また、本実施形態では、置き台５を上方から吊るすようにしたが、置き台５の脚部９又は側面に係止用の部材を設けて、置き台５を壁面等に係止することができるように構成してもよい。さらに、第１の実施形態と同様に、単に床やテーブルの上等に置き台５を載置する構成としてもよい。これらの場合には、プレート６に吊し用孔６９を設ける必要がない。
【００６２】
また、本実施形態では、プレート６の形状がほぼ平行四辺形である場合について説明したが、プレート６の形状はこれに限定されない。第１の実施形態で示したように、プレート６の第１の側縁６１、第２の側縁６２、上部端縁等を湾曲形状としてもよい。
【００６３】
なお、その他本発明が本実施形態に限定されないことは、第１の実施形態と同様である。
【図面の簡単な説明】
【００６４】
【図１】本発明の第１の実施形態に係る置き台の概略構成を示す斜視図である。
【図２】図１の置き台を構成するプレートであり、図２（ａ）は、第１面を表にした場合の平面図であり、図２（ｂ）は、第２面を表にした場合の平面図である。
【図３】図１の置き台を分解した状態の平面図である。
【図４】図１の置き台を折り畳んだ状態の図である。
【図５】本発明の第２の実施形態に係る置き台の概略構成を示す斜視図である。
【図６】図５の置き台を分解した状態の平面図である。
【符号の説明】
【００６５】
１  置き台
２  プレート
３  受け部
４  脚部
７  紐状部材
２１  第１面
２２  第２面
２３  第１の側縁
２４  第１連結用孔
２５  繋止孔
２６  第２の側縁
２７  第２連結用孔
２８  紐状係止具
２９  紐状連結具
【図１】
0004630312.tif 000002
【図２】
0004630312.tif 000003
【図３】
0004630312.tif 000004
【図４】
0004630312.tif 000005
【図５】
0004630312.tif 000006
【図６】
0004630312.tif 000007